(57)【要約】【課題】限られた放送帯域を有効に活用し、多くの視聴者が興味のある地域のコンテンツをより多く選択して放送することができる技術を提供すること。【解決手段】検索利用状況分析部６は、検索サーバ３から取得した地域又は地域への移動に関する検索の利用状況に基づいて、コンテンツデータベース５に登録されている地域に対して重み付けを行う。コンテンツ選択部７は、コンテンツ選択枠（選択可能最大数）の範囲で、コンテンツデータベース５から、各地域の重みが各地域の重みの合計に対して占める割合に従って、各地域のコンテンツを選択する。【選択図】図１
2008092276.tif 000002
【特許請求の範囲】
【請求項１】
放送システムであって、
地域とコンテンツとが関連付けられたコンテンツデータベースと、
地域又は地域への移動に関する検索の利用状況を取得する取得手段と、
前記検索の利用状況を分析し、所定の重み付け関数に従って前記コンテンツデータベースの地域に重み付けを行う分析手段と、
前記地域の重みに基づいて、前記コンテンツデータベースからコンテンツを選択するコンテンツ選択手段と、
前記選択されたコンテンツを放送する放送手段と
を有することを特徴とする放送システム。
【請求項２】
前記重み付け関数は、検索された地域又は移動先の地域の検索件数に応じて、その地域に重みを与える関数であることを特徴とする請求項１に記載の放送システム。
【請求項３】
前記重み付け関数は、地域に発生する事象の発生時刻に応じて、その地域に重みを与える関数であることを特徴とする請求項１又請求項２に記載の放送システム。
【請求項４】
前記コンテンツ選択手段は、重みが大きい地域のコンテンツを優先的に選択するように構成されていることを特徴とする請求項１から請求項３のいずれかに記載の放送システム。
【請求項５】
放送されるコンテンツには、地域を識別する地域識別情報が付されており、
地域又は地域への移動に関する検索を行い、検索した地域又は移動先の地域を記憶する検索記憶手段と、
検索時に記憶した地域又は移動先の地域と、放送されたコンテンツの前記地域識別情報とを比較し、同じ地域のコンテンツのみ表示する表示手段と
を有することを特徴とする請求項１から請求項４のいずれかに記載の放送システム。
【請求項６】
放送するコンテンツのコンテンツ選択方法であって、
地域又は地域への移動に関する検索の利用状況を取得する利用状況取得ステップと、
前記検索の利用状況を分析し、所定の重み付け関数に従って地域に重み付けを行う分析ステップと、
前記地域の重みに基づいて、その地域に関連付けられたコンテンツを選択するコンテンツ選択ステップと
を有することを特徴とするコンテンツ選択方法。
【請求項７】
前記重み付け関数は、検索された地域又は移動先の地域の検索件数に応じて、その地域に重みを与える関数であることを特徴とする請求項６に記載のコンテンツ選択方法。
【請求項８】
前記重み付け関数は、地域に発生する事象の発生時刻に応じて、その地域に重みを与える関数であることを特徴とする請求項６又請求項７に記載のコンテンツ選択方法。
【請求項９】
前記コンテンツ選択ステップは、重みが大きい地域のコンテンツを優先的に選択するように構成されていることを特徴とする請求項６から請求項８のいずれかに記載のコンテンツ選択方法。
【請求項１０】
地域又は地域への移動に関する検索を行った際、検索した地域又は移動先の地域を記憶するステップと、
地域を識別する地域識別情報を付してコンテンツを放送するステップと、
検索時に記憶した地域又は移動先の地域と、放送されたコンテンツの前記地域識別情報とを比較し、同じ地域のコンテンツのみ表示するステップと
を有することを特徴とする請求項６から請求項９のいずれかに記載のコンテンツ選択方法。
【請求項１１】
放送するコンテンツを選択するプログラムであって、
地域又は地域への移動に関する検索の利用状況を取得する利用状況取得処理と、
前記検索の利用状況を分析し、所定の重み付け関数に従って地域に重み付けを行う分析処理と、
前記地域の重みに基づいて、その地域に関連付けられたコンテンツを選択するコンテンツ選択処理と
を情報処理装置に実行させることを特徴とするプログラム。
【請求項１２】
前記重み付け関数は、検索された地域又は移動先の地域の検索件数に応じて、その地域に重みを与える関数であることを特徴とする請求項１１に記載のプログラム。
【請求項１３】
前記重み付け関数は、地域に発生する事象の発生時刻に応じて、その地域に重みを与える関数であることを特徴とする請求項１１又請求項１２に記載のプログラム。
【請求項１４】
前記コンテンツ選択処理は、重みが大きい地域のコンテンツを優先的に選択するように構成されていることを特徴とする請求項１１から請求項１３のいずれかに記載のプログラム。
【発明の詳細な説明】
【技術分野】
【０００１】
本発明は放送システム、コンテンツ選択方法及びプログラムに関し、特に、検索サーバに要求される地域に関する検索状況に応じて、放送するコンテンツを動的に選択する放送システム、コンテンツ選択方法及びプログラムに関する。
【背景技術】
【０００２】
近年、地上アナログ放送に代わる放送として、地上デジタル放送が開始された。この地上デジタル放送はマルチキャリア方式であり、１チャンネルで高精細テレビジョン放送を放送したり、標準テレビジョン放送の品質で複数のチャンネルを放送することが可能であり、さらにデータ放送などさまざまなサービスを組み合わせて放送したりすることができる。また、一部のセグメント（階層）の伝送パラメータを妨害に強く設定（例えば、変調方式をかえる）することにより、家庭での受信に加えて、自動車等の移動体での受信や携帯端末の受信に適したサービスを行うことも可能である。地上デジタル放送では、１３個のセグメントの中央の１セグメントで、携帯向け放送サービス（以下、１セグ放送と称する）を行っている。
【０００３】
この携帯向け放送サービスは、上述したように、移動しながら視聴することを前提にしており、この前提に基づいたサービスも提案されている（例えば、特許文献１）。
【０００４】
特許文献１に記載された技術は、デジタル放送波に広告情報及び広告地域情報が載せられており、ＧＰＳ受信回路やビーコン受信回路から出力される復調データに基づいて現在位置を取得し、この現在位置を中心に所定範囲内に存在する広告地域情報を持つ広告情報を取り出す。そして、地域に対応した広告情報がデジタル放送波に存在する場合には、例えば「広告情報を出力できます」といった文字メッセージをモニタに表示させる処理を行う。このメッセージを見て利用者が広告情報の出力を指示すると、番組の映像／音声出力を停止し、広告情報の映像／音声出力が行われる。
【０００５】
このように、視聴者が現在位置する場所においてその場所に対応した地域的な広告を視聴者に提示する技術が記載されている。
【特許文献１】特開２００４−２０１３４３号公報
【発明の開示】
【発明が解決しようとする課題】
【０００６】
しかしながら、上述の技術では、表示される広告は、視聴者の現在位置のみに依存するため、本来の視聴者の意思を十分に反映させることができない。例えば、視聴者はある目的地に向かう途中かもしれず、視聴者の興味の対象とならない広告が多く表示されることが多い。
【０００７】
また、放送する側にとってみれば、限られた放送帯域の中で、視聴者の興味の対象となる広告を出来る限り多く放送し、全体として広告の効果を高める必要がある。特許文献１の技術では、視聴者の移動や興味の対象などとは全く無関係に広告を選択し放送するため、効果の薄い大量の広告が視聴者に届くという問題がある。
【０００８】
一方、インターネットの隆盛に伴い、検索キーワードを打ち込んで、その検索キーワードに関連するＷＥＢサイト等を検索する検索サービスが広く利用されている。また、出発駅と到着駅とを入力し、その経路を検索するような乗り換え案内のサービスも、インターネットを通じて提供されている。このようなサービスは、携帯電話のような、ネットワークに接続できるものであれば、利用することができる。
【０００９】
そこで、本発明は上記課題に鑑みて発明されたものであって、その目的は、限られた放送帯域を有効に活用して、多くの視聴者が興味のある地域のコンテンツをより多く選択して放送することができる技術を提供することにある。
【課題を解決するための手段】
【００１０】
上記課題を解決する本発明は、放送システムであって、地域とコンテンツとが関連付けられたコンテンツデータベースと、地域又は地域への移動に関する検索の利用状況を取得する取得手段と、前記検索の利用状況を分析し、所定の重み付け関数に従って前記コンテンツデータベースの地域に重み付けを行う分析手段と、前記地域の重みに基づいて、前記コンテンツデータベースからコンテンツを選択するコンテンツ選択手段と、前記選択されたコンテンツを放送する放送手段とを有することを特徴とする。
【００１１】
上記課題を解決する本発明は、放送するコンテンツのコンテンツ選択方法であって、地域又は地域への移動に関する検索の利用状況を取得する利用状況取得ステップと、前記検索の利用状況を分析し、所定の重み付け関数に従って地域に重み付けを行う分析ステップと、前記地域の重みに基づいて、その地域に関連付けられたコンテンツを選択するコンテンツ選択ステップとを有することを特徴とする。
【００１２】
上記課題を解決する本発明は、放送するコンテンツを選択するプログラムであって、地域又は地域への移動に関する検索の利用状況を取得する利用状況取得処理と、前記検索の利用状況を分析し、所定の重み付け関数に従って地域に重み付けを行う分析処理と、前記地域の重みに基づいて、その地域に関連付けられたコンテンツを選択するコンテンツ選択処理とを情報処理装置に実行させることを特徴とする。
【発明の効果】
【００１３】
本発明によれば、多くの視聴者が興味を持っている地域や、多くの視聴者が目的地として移動する地域のコンテンツを、限られた放送帯域の中で優先的に選択して放送することができると言う優れた効果を有する。その理由は、取得された検索対象の地域及びその地域の検索件数に基づいて、各地域に重み付けを行い、この重みに基づいてコンテンツを選択するように構成したからである。
【００１４】
また、本発明は、地域で発生する事象を考慮したコンテンツの選択も行うことができる。その理由は、地域の事象の発生時間も考慮して地域に重み付けを行い、この重みに基づいてコンテンツを選択するように構成したからである。
【００１５】
更に、本発明は、各々の視聴者の検索状況に応じ、検索した地域に関連のあるコンテンツのみを表示させることもできる。その理由は、コンテンツを表示する端末側で、視聴者の検索状況を記憶するようにし、その検索状況に関係のないコンテンツは表示されないよう構成したからである。
【発明を実施するための最良の形態】
【００１６】
＜第１の実施の形態＞
本発明の第１の実施の形態を説明する。
【００１７】
図１は第１の実施の形態における放送システムのブロック図である。
【００１８】
図１中、１はテレビ受信機能付きネットワーク端末であり、２はネットワークであり、３は検索サーバであり、４は検索利用状況取得部であり、５はコンテンツデータベースであり、６は検索利用状況分析部であり、７はコンテンツ選択部であり、８は放送部である。
【００１９】
テレビ受信機能付きネットワーク端末１は、インターネットのようなネットワークを介して、検索サーバ３にアクセスできる機能を有し、更に、例えば１セグ放送等のテレビ放送を受信できるテレビ受信機能を有する。
【００２０】
検索サーバ３は、テレビ受信機能付きネットワーク端末１からの地域又は地域への移動に関する検索の要求に応答して、その地域又は地域への移動に関する検索を行い、その結果をテレビ受信機能付きネットワーク端末１に送信する。検索サーバ３の代表的なものとしては、乗り換え案内や時刻表などの検索サービスや、地域で検索することができるレストランなどの店舗の検索サービスなどが挙げられる。すなわち、地域をキーワードとして何らかの情報を検索して提供する検索サービスであれば良い。
【００２１】
本発明では、検索サーバ３は、それらの従来からある検索サービスに加えて、テレビ受信機能付きネットワーク端末１からの地域又は地域への移動に関する検索の利用状況を、検索利用状況取得部４に送信する機能を有する。地域又は地域への移動に関する検索の利用状況とは、テレビ受信機能付きネットワーク端末１から検索を要求された地域の名称（例えば、新橋、新宿等の地名や、観光地の名称）や、移動先の地域の名称（例えば、鉄道における新橋駅、東京駅等の駅名や、高速道路のインターチェンジの名称等）の情報に加え、これらの検索の件数等の情報である。
【００２２】
なお、検索サーバ３はテレビ受信機能付きネットワーク端末１からの検索に限定せず、テレビ受信機能を有さないネットワーク端末からの検索にも応答し、その検索利用状況を、テレビ受信機能付きネットワーク端末１からの検索利用状況と合わせて検索利用状況取得部４に送信するように構成しても良い。
【００２３】
検索利用状況取得部４は、検索サーバ３から地域又は地域への移動に関する検索の利用状況を取得する。具体的には、地域名や、その検索件数等である。
【００２４】
なお、図１の例では検索サーバ３が１個の場合を説明しているが、検索サーバ３は１個である必要はなく、複数個あっても良いし、また１個の検索サーバが複数の検索サービスを提供するようにしても良い。その場合は、それぞれの検索サーバがそれぞれの検索サービスを端末１に提供し、それぞれの検索利用状況を検索利用状況取得部４に送信する。またこの場合の検索利用状況取得部４は、複数の検索サーバ３からの複数の検索利用状況を取得して利用する。
【００２５】
コンテンツデータベース５は、地域の名称と、コンテンツと、その地域の重みとが関連付けられて記憶されたデータベースである。図２に、コンテンツデータベース５の格納例を示す。図２では、コンテンツの例として広告を例にとり、各地域名（新橋、東京、渋谷、新宿）と各地域の広告（広告Ａから広告Ｏ）とその地域の重みとが関連付けられて記憶されている。尚、図２のコンテンツデータベース５の例は、地域に重み付けがされる前の初期状態を示しており、地域の重みのフィールドは空白となっている。また、広告自体のデータは他のデータベースにあり、これと関連付けられた広告識別情報をコンテンツデータベース５に格納しても良い。更に、図２に示されるコンテンツデータベース５の格納例では、４つの地域と１５の広告との例を示しているが、各々の数はこれに限定されるものではなく、また、以降の説明で用いられるコンテンツデータベース５の格納例を示した図も同様である。
【００２６】
検索利用状況分析部６は、検索サーバ３から取得した地域又は地域への移動に関する検索の利用状況に基づいて、コンテンツデータベース５に登録されている地域に対して重み付けを行う。この重み付けは、重み付け関数ｆ（ｘ）により行われる。ただしｘは変数であって、この場合はある地域の検索利用件数である。重み付け関数ｆ（ｘ）は利用状況を反映する関数であり、例えば、所定の地域の検索利用件数に比例してその地域の重みが大きくなるような関数であれば良い。
【００２７】
コンテンツ選択部７は、コンテンツ選択枠（選択可能最大数）の範囲で、コンテンツデータベース５から、地域の重みに基づいてコンテンツを選択する。選択方法としては、所定時間毎（例えば、５分毎）に、重みが大きい地域順にコンテンツを選択する方法や、各地域の重みが各地域の重みの合計に対して占める割合に従って、各地域のコンテンツを選択する方法等が考えられる。
【００２８】
放送部８は、コンテンツ選択部７が選択したコンテンツを放送する。コンテンツが映像である場合は、選択された映像を順番に放送する。例えば、上記所定時間を５分とし、コンテンツの長さを簡単のため一律３０秒とすれば、上記選択可能最大数は１０となる。この場合は１０個のコンテンツが選択され順番に放送されることになる。一方で、コンテンツがテキスト情報や静止画情報などであれば、データ放送のコンテンツとして放送することも可能である。この場合は、選択されたコンテンツがデータ放送の規格に従って上記所定時間の間に繰り返し放送されることになる。また、放送部８は、コンテンツ選択部７が選択したコンテンツとは別のコンテンツを多重して放送するように構成しても良い。例えば、コンテンツ選択７によらないコンテンツとして映像を、コンテンツ選択部７により選択されるコンテンツとしてデータ放送を多重して放送するように構成する。
【００２９】
尚、放送部８により放送されるコンテンツを受信する端末は、図１に示す例ではテレビ受信機能付きネットワーク端末としているが、これに限定する必要はなく、テレビ受信機能を有する端末であれば良い。
【００３０】
次に、上述した構成における動作を、図３のフローチャートを用いて説明する。
【００３１】
尚、以下の具体的な説明では、コンテンツの例として広告を例にし、所定の時間内（例えば５分内）における広告の最大選択数を１０個とし、各地域の重みが各地域の重みの合計に対して占める割合に従って、各地域の広告を選択する場合の例を説明する。
【００３２】
まず、検索利用状況取得部４は、検索サーバ３から、所定時間毎（例えば５分毎）に検索対象の地域及びその地域の検索件数を取得する（Ｓｔｅｐ  １００）。ここでは、新橋の地域に関する検索数が４００件、東京の地域に関する検索数が１００件、渋谷の地域に関する検索数が３００件、新宿の地域に関する検索数が２００件の利用状況が取得できたものとする。
【００３３】
検索利用状況分析部６は、検索利用状況取得部４により取得された検索対象の地域及びその地域の検索件数に基づいて、コンテンツデータベース５の各地域に重み付けを行う（Ｓｔｅｐ  １０１）。この例では、取得した検索件数をそのまま重みとして用い、コンテンツデータベース５の各地域に重み付けを行う。この場合の重み付け関数ｆ（ｘ）はｆ（ｘ）＝ｘである。取得した検索件数は、新橋の地域に関する検索数が４００件、東京の地域に関する検索数が１００件、渋谷の地域に関する検索数が３００件、新宿の地域に関する検索数が２００件なので、新橋に４００、東京に１００、渋谷に３００、新宿に２００の重み付けを行う。この重み付けの結果を反映したコンテンツデータベース５の様子を、図４に示す。
【００３４】
続いて、コンテンツ選択部７は、コンテンツの選択を行う（Ｓｔｅｐ  １０２）。ここでは、各地域の重みが各地域の重みの合計に対して占める割合に従って、各地域の広告を選択する。本例では、コンテンツデータベース５の各地域の重みは、新橋が４００、東京が１００、渋谷が３００、新宿が２００なので、新橋の広告、東京の広告、渋谷の広告、新宿の広告を、４：１：３：２の割合で選択する。すなわち、新橋の広告を４個、東京の広告を１個、渋谷の広告を３個、新宿の広告を２個選択する。ここでは、理解を容易とする為に、コンテンツデータベース５に格納されている順番に広告を選択する。すなわち、新橋の広告Ａ，Ｂ，Ｃ，Ｄと、東京の広告Ｆと、渋谷の広告Ｊ，Ｋ，Ｌと、新宿の広告Ｍ，Ｎとを選択する。
【００３５】
次に、所定時間（ここでは５分である）の経過のチェックを行い（Ｓｔｅｐ  １０３）、経過していない場合には、放送部８は、選択されたコンテンツを放送する（Ｓｔｅｐ  １０４）。ここでは、新橋の広告Ａ，Ｂ，Ｃ，Ｄと、東京の広告Ｆと、渋谷の広告Ｊ，Ｋ，Ｌと、新宿の広告Ｍ，Ｎとが放送される。そして、Ｓｔｅｐ  １０３に戻り、所定時間（ここでは５分である）の経過のチェックを行う。
【００３６】
一方、Ｓｔｅｐ  １０３において、所定時間（ここでは５分である）が経過している場合には、Ｓｔｅｐ  １００に戻り、上述したＳｔｅｐ  １００、１０１、１０２の処理を行う。
【００３７】
尚、上述の具体例では、各地域の重みが各地域の重みの合計に対して占める割合に従って各地域の広告を選択したが、重みが大きい地域順にコンテンツを選択するように構成しても良い。この場合、コンテンツの選択可能数まで、重みの大きい地域のコンテンツから優先的に選択する。例えば、図４の例では、新橋の広告Ａ〜広告Ｅの５個と、渋谷の広告Ｊ，Ｋ，Ｌの３個と、新宿の広告Ｍ，Ｎとの計１０個が選択される。
【００３８】
第１の実施の形態では、取得された検索対象の地域及びその地域の検索件数に基づいて、各地域に重み付けを行い、この重みに基づいてコンテンツを選択するように構成したので、視聴者が興味を持っている地域や、視聴者の目的地への移動を反映した地域のコンテンツを限られた放送帯域の中で優先的に選択して放送することができる。また、所定の時間毎にコンテンツが改めて選択されるように構成したので、検索利用状況の変化に動的に対応することできる。すなわち、時間帯や曜日、行事などで変化する視聴者の興味や移動を放送されるコンテンツに動的に反映させることができる。
＜第２の実施の形態＞
第２の実施の形態を説明する。
【００３９】
第１の実施の形態では、検索利用状況分析部６は、検索サーバ３から取得した地域又は地域への移動に関する検索の利用状況に基づいて重み付け関数ｆ（ｘ）により重み付けを行った。第２の実施の形態では、重み付け関数ｆ（ｘ）に加えて、時間を考慮した関数ｇ（Ａ、ｔ）も加えて重み付けを行う。ただし、Ａは地域を示す変数であり、ｔは時間に関する変数である。変数ｔは例えば現在時刻などである。図５に示す例では、鉄道などの移動手段に関する時刻表データベース１０を有し、検索利用状況分析部６は時刻表データベース１０を参照して時間も考慮した重み付けを行う。
【００４０】
時刻表データベース１０は、各鉄道路線やバス路線、航空路線などの運行時刻が記憶されたデータベースであり、各駅や各バス停、各空港などの到着・発着の時刻が記憶されている。尚、本実施の形態では、地域に発生する事象の発生時刻を知る手段として、時刻表データベース１０を例にしたが、これに限られず、地域に発生する事象の発生時刻を知ることができるものであれば良い。例えば、地域で行われるイベントの日時を集めたデータでも良い。
【００４１】
検索利用状況分析部６は、検索サーバ３から取得した地域又は地域への移動に関する検索の利用状況に基づく重み付け関数ｆ（ｘ）と、時刻表データベース１０による重み付け関数ｇ（Ａ、ｔ）との和により、重み付けを行う。ただし、両関数の和により重み付けを行うのは一例であり、例えば積によって重み付けを行っても良い。
【００４２】
例えば、重み付け関数ｇ（Ａ、ｔ）は、午前１０時に東京駅に新幹線が到着する場合、午前１０時の時点で、東京駅が所属する地域である東京に、重み３００を加え、他の地域に−１００の重みを加えるような関数とする。
【００４３】
具体的に述べると、第１の実施の形態と同様に、新橋の地域に関する検索数が４００件、東京の地域に関する検索数が１００件、渋谷の地域に関する検索数が３００件、新宿の地域に関する検索数が２００件である場合、新橋には、重み付け関数ｆ（ｘ）＋重み付け関数ｇ（Ａ、ｔ）＝４００−１００＝３００となる。東京には、重み付け関数ｆ（ｘ）＋重み付け関数ｇ（Ａ、ｔ）＝１００＋３００＝４００となる。渋谷には、重み付け関数ｆ（ｘ）＋重み付け関数ｇ（Ａ、ｔ）＝３００−１００＝２００となる。新宿には、重み付け関数ｆ（ｘ）＋重み付け関数ｇ（Ａ、ｔ）＝２００−１００＝１００となる。
【００４４】
従って、各地域の重みは図６に示すようになり、新橋が３００、東京が４００、渋谷が２００、新宿が１００なので、新橋の広告、東京の広告、渋谷の広告、新宿の広告を、３：４：２：１の割合で広告を選択する。すなわち、新橋の広告を３個、東京の広告を４個、渋谷の広告を２個、新宿の広告を１個選択する。ここでは、理解を容易とする為に、コンテンツデータベース５に格納されている順番に広告を選択する。すなわち、新橋の広告Ａ，Ｂ，Ｃと、東京の広告Ｆ，Ｇ，Ｈ，Ｉと、渋谷の広告Ｊ，Ｋと、新宿の広告Ｍとが選択される。
【００４５】
第２の実施の形態では、第１の実施の形態の構成に加え、地域の事象の発生時間も考慮して地域に重み付けを行っている。そのため、地域の事象の発生時刻を考慮したコンテンツの選択を行うことができる。
【００４６】
尚、第２の実施の形態では、取得した地域又は地域への移動に関する検索の利用状況に基づいた重み付け関数ｆ（ｘ）と、時間を考慮した関数ｇ（Ａ、ｔ）とを用いて重み付けを行う例を説明したが、時間を考慮した関数ｇ（Ａ、ｔ）のみで重み付けをしても良い。
＜第３の実施の形態＞
第３の実施の形態では、テレビ受信機能付きネットワーク端末１に、コンテンツのフィルタリングの機能を持たせることを特徴とする。
【００４７】
図７に第３の実施の形態における放送システムのブロック図、図８にテレビ受信機能付きネットワーク端末１のブロック図を示す。
【００４８】
テレビ受信機能付きネットワーク端末１は、地域又は地域への移動に関する検索の要求を検索サーバ３に行う検索部２０と、検索時の地域名や、地域を識別する地域識別情報を記憶する地域識別情報記憶部２１と、１セグ放送などの放送を受信する受信部２２と、表示部２３と、受信部２２で受信されたコンテンツの地域識別情報と地域識別情報記憶部２１に記憶されている地域識別情報とを比較し、一致しているコンテンツのみ表示部２３に表示する表示制御部２４とを備える。
【００４９】
また、放送部８はコンテンツを放送する際、コンテンツの地域識別情報も放送する。例えば、地上デジタル放送のデータ放送において、コンテンツとそのコンテンツの地域識別情報を関連付けて放送することが可能である。
【００５０】
このように構成することにより、例えば、テレビ受信機能付きネットワーク端末１の保持者が、新橋をキーワードとして、検索サーバ３に検索を要求すると、新橋の地域識別情報が地域識別情報記憶部２１に記憶される。そして、放送部８より放送されるコンテンツを受信して表示する際、地域識別情報が新橋であるコンテンツのみが表示される。
【００５１】
第３の実施の形態では、各々の視聴者の検索状況を端末に記憶するようにし、その検索状況に関係のないコンテンツは表示されないよう構成している。そのため、各々の視聴者が検索した地域に関連のあるコンテンツのみを表示させることができる。
尚、上述した第１の実施の形態から第３の実施の形態において、検索利用状況取得部４、検索利用状況分析部６及びコンテンツ選択部７をハードウェアで構成したが、上述した処理を行うプログラムで動作する情報処理装置で構成することも可能である。
【図面の簡単な説明】
【００５２】
【図１】図１は第１の実施の形態における放送システムのブロック図である。
【図２】図２はコンテンツデータベース５の格納例を示す図である。
【図３】図３は第１の実施の形態のフローチャートである。
【図４】図４は重み付けの結果を反映したコンテンツデータベース５の様子を示した図である。
【図５】図５は第２の実施の形態における放送システムのブロック図である。
【図６】図６は第２の実施の形態における重み付けの結果を反映したコンテンツデータベース５の様子を示した図である。
【図７】図７は第３の実施の形態における放送システムのブロック図である。
【図８】図８はテレビ受信機能付きネットワーク端末１のブロック図である。
【符号の説明】
【００５３】
１        テレビ受信機能付きネットワーク端末
２        ネットワーク
３        検索サーバ
４        検索利用状況取得部
５        コンテンツデータベース
６        検索利用状況分析部
７        コンテンツ選択部
８        放送部
１０      時刻表データベース
【図１】
2008092276.tif 000003
【図２】
2008092276.tif 000004
【図３】
2008092276.tif 000005
【図４】
2008092276.tif 000006
【図５】
2008092276.tif 000007
【図６】
2008092276.tif 000008
【図７】
2008092276.tif 000009
【図８】
2008092276.tif 000010